(57)【要約】【課題】作業者が目視により印刷箇所と切断箇所とにずれが生じた場合のずれ量を容易に判定することができるようにする。【解決手段】メディアに対してカッティング処理を行うカッティング処理機能を備えた印刷装置において、四角形の内部を予め設定された色で塗り潰した内部図形と内部図形を予め設定された間隔を開けて取り囲むように配置された四角形図形とよりなる基本図形を印刷するための基本図形印刷データと、基本図形における内部図形の外郭線をカッティングするための内部図形外郭線カッティングデータとを記憶した記憶手段と、記憶手段に記憶された基本図形印刷データに基づきメディアに対して基本図形の印刷処理を行う印刷手段と、印刷手段により基本図形を印刷されたメディアに対して、記憶手段に記憶された内部図形外郭線カッティングデータに基づきカッティング処理を行うカッティング手段とを有する。【選択図】        図６
2020157558.tif 000002
【特許請求の範囲】
【請求項１】
メディアに対してカッティング処理を行うカッティング処理機能を備えた印刷装置において、
四角形の内部を予め設定された色で塗り潰した内部図形と前記内部図形を予め設定された間隔を開けて取り囲むように配置された四角形図形とよりなる基本図形を印刷するための基本図形印刷データと、前記基本図形における前記内部図形の外郭線をカッティングするための内部図形外郭線カッティングデータとを記憶した記憶手段と、
前記記憶手段に記憶された前記基本図形印刷データに基づきメディアに対して前記基本図形の印刷処理を行う印刷手段と、
前記印刷手段により前記基本図形を印刷された前記メディアに対して、前記記憶手段に記憶された前記内部図形外郭線カッティングデータに基づきカッティング処理を行うカッティング手段と
を有することを特徴とするカッティング処理機能を備えた印刷装置。
【請求項２】
請求項１に記載のカッティング処理機能を備えた印刷装置において、さらに、
前記カッティング手段によるカッティング処理結果に基づいて、前記カッティング手段がカッティング処理するカッティングデータを補正する補正値を入力する入力手段と
を有することを特徴とするカッティング処理機能を備えた印刷装置。
【請求項３】
請求項１または２のいずれか１項に記載のカッティング処理機能を備えた印刷装置において、
前記四角形図形は、前記内部図形の前記外郭線から予め設定された第１の間隔を開けて前記内部図形を取り囲むように配置された第１四角形図形と、前記第１四角形図形から予め設定された第２の間隔を開けて前記第１四角形図形を取り囲むように配置された第２四角形図形とよりなる
ことを特徴とするカッティング処理機能を備えた印刷装置。
【請求項４】
請求項１、２または３のいずれか１項に記載のカッティング処理機能を備えた印刷装置において、
前記基本図形は、前記内部図形の前記四角形の各辺の中点から、前記四角形の外側に向けて前記各辺に対してそれぞれ垂直方向に延長した基準線を配置した
ことを特徴とするカッティング処理機能を備えた印刷装置。
【請求項５】
請求項４項に記載のカッティング処理機能を備えた印刷装置において、
前記基準線を挟んで補正値増減標識を配置した
ことを特徴とするカッティング処理機能を備えた印刷装置。
【請求項６】
メディアに対してカッティング処理を行うカッティング処理機能を備えた印刷装置におけるカッティング位置補正方法において、
四角形の内部を予め設定された色で塗り潰した内部図形と前記内部図形を予め設定された間隔を開けて取り囲むように配置された四角形図形とよりなる基本図形を印刷するための基本図形印刷データに基づいて、メディアに対して前記基本図形の印刷処理を行う印刷処理工程と、
前記印刷処理工程により前記基本図形を印刷された前記メディアに対して、前記基本図形における前記内部図形の外郭線をカッティングするための内部図形外郭線カッティングデータに基づいてカッティング処理を行うカッティング処理工程と、
前記カッティング処理工程におけるカッティング処理結果に基づいて、カッティングデータを補正するための補正値を入力する入力工程と
を有することを特徴とするカッティング位置補正方法。
【請求項７】
請求項６に記載のカッティング位置補正方法において、
前記入力工程は、前記カッティング処理結果が示す前記メディアに印刷された前記内部図形の前記外郭線と前記カッティング処理により前記カッティングされた切断箇所とのずれ量に基づいた補正値を入力する
ことを特徴とするカッティング位置補正方法。
【発明の詳細な説明】
【技術分野】
【０００１】
本発明は、カッティング処理機能を備えた印刷装置およびカッティング位置補正方法に関する。さらに詳細には、本発明は、カッティングデータに従ってカッターによりメディアをカッティング（切断）するカッティング処理機能を備えた印刷装置およびカッティング位置補正方法に関する。
【０００２】
なお、本明細書ならびに本特許請求の範囲において、「カッティング」とは、カッターがメディアを貫通して当該メディアを切断する場合は勿論のこと、カッターがメディアを貫通することなく当該メディアの一部を切断する場合を含むものとする。
【背景技術】
【０００３】
一般に、例えば、特開２００１−２６０４４３号公報や特開２０１５−２０３９９号公報などに開示されているように、メディアに対して印刷データに従って印刷を行う印刷処理機能に加えて、カッティングデータに従ってカッターによりメディアをカッティングするカッティング処理機能を備えた印刷装置が知られている。
【０００４】
こうしたカッティング処理機能を備えた印刷装置においては、メディアに対して印刷された画像の輪郭線に沿って当該メディアをカッティングして成果物を得ることが屡々あるが、その際に成果物において画像の輪郭線とカッティングによる切断箇所とがずれる場合がある。
【０００５】
従来、こうした成果物において印刷箇所と切断箇所とにずれが生じた場合には、作業者が当該成果物から目視によりそのずれ量を判断して、カッティング処理におけるカッティング動作の原点位置からのずれを補正する操作を行って、ずれの発生を解消するようにしていた。
【０００６】
しかしながら、作業者が目視により成果物から上記したずれ量を判定することは容易ではないという問題点があった。
【先行技術文献】
【特許文献】
【０００７】
【特許文献１】特開２００１−２６０４４３号公報
【特許文献２】特開２０１５−２０３９９号公報
【発明の概要】
【発明が解決しようとする課題】
【０００８】
本発明は、従来の技術が有する上記したような問題点に鑑みてなされたものであり、その目的とするところは、作業者が目視により印刷箇所と切断箇所とにずれが生じた場合のずれ量を容易に判定することができるようにしたカッティング処理機能を備えた印刷装置およびカッティング位置補正方法を提供しようとするものである。
【課題を解決するための手段】
【０００９】
上記目的を達成するために、本発明は、四角形の内部を予め設定された色で塗り潰した内部図形と、予め設定された間隔を開けて内部図形を取り囲むように配置された四角形図形とよりなる基本図形を印刷し、基本図形における内部図形の外郭線の位置を示すカッティングデータに従って、印刷した基本図形における内部図形の外郭線を切断する。
【００１０】
これにより、作業者はその切断結果を目視することにより、予め設定された間隔を基準として印刷箇所と切断箇所とずれ量を容易に判定することができるようになる。
【００１１】
即ち、本発明によるカッティング処理機能を備えた印刷装置は、メディアに対してカッティング処理を行うカッティング処理機能を備えた印刷装置において、四角形の内部を予め設定された色で塗り潰した内部図形と上記内部図形を予め設定された間隔を開けて取り囲むように配置された四角形図形とよりなる基本図形を印刷するための基本図形印刷データと、上記基本図形における上記内部図形の外郭線をカッティングするための内部図形外郭線カッティングデータとを記憶した記憶手段と、上記記憶手段に記憶された上記基本図形印刷データに基づきメディアに対して上記基本図形の印刷処理を行う印刷手段と、上記印刷手段により上記基本図形を印刷された上記メディアに対して、上記記憶手段に記憶された上記内部図形外郭線カッティングデータに基づきカッティング処理を行うカッティング手段とを有するようにしたものである。
【００１２】
また、本発明によるカッティング処理機能を備えた印刷装置は、上記した本発明によるカッティング処理機能を備えた印刷装置において、さらに、上記カッティング手段によるカッティング処理結果に基づいて、上記カッティング手段がカッティング処理するカッティングデータを補正する補正値を入力する入力手段とを有するようにしたものである。
【００１３】
また、本発明によるカッティング処理機能を備えた印刷装置は、上記した本発明によるカッティング処理機能を備えた印刷装置において、上記四角形図形は、上記内部図形の上記外郭線から予め設定された第１の間隔を開けて上記内部図形を取り囲むように配置された第１四角形図形と、上記第１四角形図形から予め設定された第２の間隔を開けて上記第１四角形図形を取り囲むように配置された第２四角形図形とよりなるようにしたものである。
【００１４】
また、本発明によるカッティング処理機能を備えた印刷装置は、上記した本発明によるカッティング処理機能を備えた印刷装置において、上記基本図形は、上記内部図形の上記四角形の各辺の中点から、上記四角形の外側に向けて上記各辺に対してそれぞれ垂直方向に延長した基準線を配置したものである。
【００１５】
また、本発明によるカッティング処理機能を備えた印刷装置は、上記した本発明によるカッティング処理機能を備えた印刷装置において、上記基準線を挟んで補正値増減標識を配置したものである。
【００１６】
また、本発明によるカッティング位置補正方法は、メディアに対してカッティング処理を行うカッティング処理機能を備えた印刷装置におけるカッティング位置補正方法において、四角形の内部を予め設定された色で塗り潰した内部図形と上記内部図形を予め設定された間隔を開けて取り囲むように配置された四角形図形とよりなる基本図形を印刷するための基本図形印刷データに基づいて、メディアに対して上記基本図形の印刷処理を行う印刷処理工程と、上記印刷処理工程により上記基本図形を印刷された上記メディアに対して、上記基本図形における上記内部図形の外郭線をカッティングするための内部図形外郭線カッティングデータに基づいてカッティング処理を行うカッティング処理工程と、上記カッティング処理工程におけるカッティング処理結果に基づいて、カッティングデータを補正するための補正値を入力する入力工程とを有するようにしたものである。
【００１７】
また、本発明によるカッティング位置補正方法は、上記した本発明によるカッティング位置補正方法において、上記入力工程は、上記カッティング処理結果が示す上記メディアに印刷された上記内部図形の上記外郭線と上記カッティング処理により上記カッティングされた切断箇所とのずれ量に基づいた補正値を入力するようにしたものである。
【発明の効果】
【００１８】
本発明は、以上説明したように構成されているので、作業者が目視により印刷箇所と切断箇所とにずれが生じた場合のずれ量を容易に判定することができるようになるという優れた効果を奏するものである。
【図面の簡単な説明】
【００１９】
【図１】図１は、本発明の実施の形態の一例によるカッティング処理機能を備えた印刷装置を模式的に示す正面概略構成説明図である。
【図２】図２は、図１に示す印刷装置におけるマイクロコンピューターの本発明の実施に関連する機能的構成を示すブロック構成説明図である。
【図３】図３は、基本図形を示す説明図である。
【図４】図４は、図１に示す印刷装置における印刷・カッティング処理の処理手順を示すフローチャートである。
【図５】図５は、メディアにおける基本図形の印刷箇所を示す説明図である。
【図６】図６は、内部図形外郭線カッティングデータに従ってメディアをカッティング処理した結果の一例を示す説明図である。
【図７】図７（ａ）（ｂ）（ｃ）は、基本図形の他の例を示す説明図である。
【発明を実施するための形態】
【００２０】
以下、添付の図面を参照しながら、本発明によるカッティング処理機能を備えた印刷装置およびカッティング位置補正方法の実施の形態の一例について詳細に説明するものとする。
【００２１】
図１には、本発明の実施の形態の一例によるカッティング処理機能を備えた印刷装置を模式的に示す正面概略構成説明図があらわされている。
【００２２】
印刷装置１０は、筐体１２内に主走査方向に沿って延長して配設されたベッド部１４を備えている。
【００２３】
符号１６は、ベッド部１４の直上を主走査方向に沿って延長して配設されたガイドレールである。
【００２４】
ガイドレール１６には、駆動装置１８と、印刷処理装置２０と、カッティング処理装置２２とが、主走査方向に沿って移動自在に配設されている。
【００２５】
ここで、駆動装置１８は、モーターなどの駆動源の作動によって、ガイドレール１６に沿って移動可能に構成されている。印刷処理装置２０とカッティング処理装置２２とは、それぞれ駆動装置１８と連結自在および分離自在に構成されている。
【００２６】
なお、ガイドレール１６に沿って駆動装置１８が移動する構成や、印刷処理装置２０やカッティング処理装置２２がそれぞれ駆動装置１８と連結自在および分離自在とされる構成については、従来より公知の技術（例えば、特開２００１−２６０４４３号公報などを参照する。）を用いればよいのでその詳細な説明は省略する。
【００２７】
印刷処理装置２０は、ベッド部１４上に副走査方向（図１の紙面に対して垂直な方向であり、紙面の表面方向を前方側とし、紙面の裏面方向を後方側とする。）に沿って搬送装置（図示せず。）により搬送されたメディア２４に対して、インク吐出ノズルからインクを吐出して印刷を行うインクヘッドを有して構成されている。印刷処理装置２０は、印刷処理時には駆動装置１８と連結されて、駆動装置１８により主走査方向へ移動される。
【００２８】
カッティング処理装置２２は、メディア２４をカッティングするカッターを有して構成されている。カッティング処理装置２２は、カッティング処理時には駆動装置１８と連結されて、駆動装置１８により主走査方向へ移動される。
【００２９】
印刷装置１０は、マイクロコンピューター２６を備えており、このマイクロコンピューター２６の制御により、メディア２４へ印刷する内容を示す印刷データに基づき駆動装置１８と印刷処理装置２０とを制御して、メディア２４の表面に対して印刷する。
【００３０】
また、印刷装置１０は、マイクロコンピューター２６の制御により、原点位置からのメディア２４における切断箇所を示すカッティングデータに基づき駆動装置１８とカッティング処理装置２２とを制御して、メディア２４をカッティングする。
【００３１】
なお、印刷データに従って印刷処理装置２０によりメディア２４の表面に対して印刷する手法や、カッティングデータに従ってカッティング処理装置２２によりメディア２４をカッティングする手法については、従来より公知の技術（例えば、特開２００１−２６０４４３号公報などを参照する。）を用いればよいのでその詳細な説明は省略する。
【００３２】
印刷装置１０には、カッティングデータを補正するための補正値を入力する補正値入力操作子２８ａを含む各種の操作のための操作子や、印刷装置１０の動作状態などを表示する表示装置２８ｂなどを備えた操作パネル２８が設けられている。
【００３３】
次に、図２には、図１に示す印刷装置１０におけるマイクロコンピューター２６の本発明の実施に関連する機能的構成を示すブロック構成説明図があらわされている。
【００３４】
マイクロコンピューター２６は、制御部２６ａと、記憶部２６ｂと、印刷制御部２６ｃと、カッティング制御部２６ｄと、カッティングデータ補正部２６ｅとを有して構築されている。
【００３５】
制御部２６ａは、印刷装置１０により実行される本発明の実施に関連する印刷・カッティング処理や従来より公知の各種の処理などの制御を行う。
【００３６】
記憶部２６ｂは、所望の画像を印刷するための印刷データ（画像印刷データ）や所望の切断箇所を示すカッティングデータ（画像カッティングデータ）などの他に、本発明の実施に関連しては、基本図形を印刷するための印刷データ（基本図形印刷データ）や基本図形の内部図形の外郭線をカッティングするためのカッティングデータ（内部図形外郭線カッティングデータ）を記憶する。
【００３７】
ここで、図３には、基本図形を示す説明図があらわされている。基本図形１００は、四角形の一つである正方形の内部を予め設定されたメディアの地色とは異なる色（例えば、黒色である。）で塗り潰した内部図形１０２と、予め設定された間隔（例えば、５ｍｍである。）を開けて内部図形１０２を取り囲むように配置された四角形図形である正方形図形１０４とにより構成されている。
【００３８】
基本図形１００を構成する正方形の内部図形１０２と正方形図形１０４とは、当該正方形の対向する２辺が主走査方向に沿う方向に延長するとともに、残りの２辺が副走査方向に沿う方向に延長する。
【００３９】
図３に示す基本図形１００においては、正方形図形１０４は、内部図形１０２の外郭線１０２ａから予め設定された間隔Ｇ１（例えば、５ｍｍである。）を開けて内部図形１０２を取り囲むように配置された第１正方形図形１０４−１と、第１正方形図形１０４−１から予め設定された間隔Ｇ２（本実施の形態においては、「Ｇ１＝Ｇ２」に設定されている。）を開けて第１正方形図形１０４−１を取り囲むように配置された第２正方形図形１０４−２とにより構成されている。
【００４０】
また、基本図形１００は、補正値入力操作子２８ａにより補正値を入力する際の目安となる標識（補正値入力標識）として、内部図形１０２の正方形の各辺の中点から当該正方形の外側に向けて、各辺に対してそれぞれ垂直方向に延長した基準線１０６−１、１０６−２、１０６−３、１０６−４を備えている。
【００４１】
さらに、基本図形１００は、補正値入力操作子２８ａにより補正値を入力する際における補正値増減の目安となる標識（補正値増減標識）として、基準線１０６−１、１０６−３を挟んで、主走査方向の左方側に＋表示１０８および三角矢印１１０を配置するとともに、右方側に−表示１１２および三角矢印１１４を配置している。また、基準線１０６−２、１０６−４を挟んで、幅走査方向の前方側に−表示１１６および三角矢印１１８を配置するとともに、後方側に＋表示１２０および三角矢印１２２を配置している。
【００４２】
内部図形外郭線カッティングデータは、内部図形１０２の外郭線１０２ａを切断箇所とするカッティングデータである。
【００４３】
印刷制御部２６ｃは、記憶部２６ｂに記憶された画像印刷データや基本図形印刷データに従って、画像や基本図形１００をメディア２４に対して印刷するように印刷処理装置２０を制御する。
【００４４】
カッティング制御部２６ｄは、記憶部２６ｂに記憶された画像カッティングデータや内部図形外郭線カッティングデータに従って、カッティング処理装置２２を制御する。
【００４５】
カッティングデータ補正部２６ｅは、補正値入力操作子２８ａにより入力された補正値に従って、原点位置からのメディア２４における切断箇所を示すカッティングデータを補正する。
【００４６】
以上の構成において、図４を参照しながら、印刷装置１０における印刷・カッティング処理の処理手順を説明する。
【００４７】
印刷装置１０においては、作業者が操作パネル２８に設けられた操作子などを操作して、記憶部２６ｂに記憶された画像印刷データおよび画像カッティングデータを指定すると、まず、印刷制御部２６ｃによる印刷処理装置２０の制御により、指定された画像印刷データに従ってメディア２４に対して画像を印刷する印刷処理を行う（ステップＳ４０２）。
【００４８】
次に、印刷制御部２６ｃによる印刷処理装置２０の制御により、記憶部２６ｂに記憶された基本図形印刷データに従ってメディア２４に対して基本図形１００を印刷する印刷処理を行う（ステップＳ４０４）。
【００４９】
ここで、基本図形印刷データにより基本図形１００を印刷するメディア２４上における基本図形印刷領域２４ａは、図５に示すように、画像印刷データに従って印刷が行われた画像印刷領域２４ｂを外れた領域である。
【００５０】
次に、カッティング制御部２６ｄによるカッティング処理装置２２の制御により、内部図形外郭線カッティングデータに従ってメディア２４に対してカッティング処理を行う（ステップＳ４０６）。
【００５１】
図６には、内部図形外郭線カッティングデータに従ってメディア２４をカッティング処理した結果の一例を示す説明図があらわされている。
【００５２】
この図６に示す例においては、カッティング処理により内部図形１０２が外郭線１０２ａに沿って切断されおらず、基本図形１００の印刷箇所と内部図形外郭線カッティングデータが示す切断箇所とにおいてずれが生じている。
【００５３】
ここで、間隔Ｇ１と間隔Ｇ２との値は、予め設定された既知の値である。従って、上記したずれの主走査方向に沿ったずれ量ＡＤ１と幅走査方向に沿ったずれ量ＡＤ２とは、作業者が目視によりずれ量ＡＤ１およびずれ量ＡＤ２と間隔Ｇ１または間隔Ｇ２とを比較することにより、容易にずれ量ＡＤ１とずれ量ＡＤ２との値を判定することができる。
【００５４】
作業者がずれ量ＡＤ１とずれ量ＡＤ２と値を判定すると、作業者はずれ量ＡＤ１とずれ量ＡＤ２との値に基づいて補正値入力操作子２８ａを操作して、画像印刷データにより印刷された画像を指定された画像カッティングデータがずれなくカッティングすることができるように、画像カッティングデータのデータ値を補正する補正値の設定を行う（ステップＳ４０８）。
【００５５】
図６に示す例においては、ずれ量ＡＤ１は間隔Ｇ１（または間隔Ｇ２）と一致するので、カッティングデータが示す切断位置が原点位置に対して主走査方向に−５ｍｍ移動するように、当該カッティングデータを補正する補正値を設定する。同様に、ずれ量ＡＤ２は間隔Ｇ１（または間隔Ｇ２）と一致するので、カッティングデータが示す切断位置が原点位置に対して幅走査方向に＋５ｍｍ移動するように、当該カッティングデータを補正する補正値を設定する。
【００５６】
また、この際に、作業者は基準線１０６−１、１０６−２、１０６−３、１０６−４を参照することにより、基準線１０６−１、１０６−２、１０６−３、１０６−４を基準としていずれの方向に補正するための補正値を設定すればよいのかが容易に判定できる。
【００５７】
さらに、作業者は＋表示１０８、三角矢印１１０、−表示１１２、三角矢印１１４、−表示１１６、三角矢印１１８、＋表示１２０および三角矢印１２２を参照することにより、補正値の設定作業を一層容易に行うことができる。
【００５８】
即ち、ずれ量ＡＤ１が＋表示１０８側へずれるずれ量の場合には、カッティングデータの示す切断位置が原点位置に対して主走査方向にずれ量だけ加算される補正値を設定する。一方、ずれ量ＡＤ１が−表示１１２側へずれるずれ量の場合（図６に示す例の場合）には、カッティングデータの示す切断位置が原点位置に対して主走査方向にずれ量だけ減算される補正値を設定する。
【００５９】
また、ずれ量ＡＤ２が＋表示１２０側へずれるずれ量の場合（図６に示す例の場合）には、カッティングデータの示す切断位置が原点位置に対して幅走査方向にずれ量だけ加算される補正値を設定する。一方、ずれ量ＡＤ２が−表示１１６側へずれるずれ量の場合には、カッティングデータの示す切断位置が原点位置に対して幅走査方向にずれ量だけ減算される補正値を設定する。
【００６０】
次に、カッティング制御部２６ｄによるカッティング処理装置２２の制御により、上記により設定された補正値により補正された画像カッティングデータに従ってメディア２４に対してカッティング処理を行う（ステップＳ４１０）。
【００６１】
従って、印刷装置１０における印刷・カッティング処理によれば、印刷した基本図形１００における内部図形１０２の外郭線１０２ａの切断結果を作業者が目視することにより、予め設定された既知の間隔Ｇ１または間隔Ｇ２を基準として、印刷箇所と切断箇所とのずれ量ＡＤ１およびずれ量ＡＤ２を容易に判定することができるようになる。
【００６２】
なお、上記した実施の形態は例示に過ぎないものであり、本発明は他の種々の形態で実施することができる。即ち、本発明は、上記した実施の形態に限定されるものではなく、本発明の要旨を逸脱しない範囲で種々の省略、置き換え、変更などを行うようにしてもよいことは勿論である。
【００６３】
例えば、上記した実施の形態は、以下の（１）乃至（５）に示すように変形するようにしてもよい。
【００６４】
（１）上記した実施の形態においては、基本図形１００を正方形により構成した場合について説明したが、これに限られるものではないことは勿論である。基本図形は、四角形であれば正方形であってもよいし長方形であってもよい。具体的には、内部図形は正方形であってもよいし長方形であってもよく、また、内部図形を取り囲むように配置された四角形図形は正方形図形であってもよいし長方形であってもよい。なお、内部図形の形状と当該内部図形を取り囲むように配置される四角形図形の形状とは、両者を一致させてもよいし、いずれか一方が正方形であって他方が長方形であってもよい。
【００６５】
（２）上記した実施の形態においては、図３に示す基本図形１００を例示したが、基本図形はこれに限られるものではないことは勿論である。図３に示す基本図形１００においては、正方形図形１０４を第１正方形図形１０４−１と第２正方形図形１０４−１とよりなる二重の正方形図形により構成したが、例えば、図７（ａ）に示すように、第１正方形図形１０４−１のみにより正方形図形１０４を構成するようにしてもよいし、あるいは、図示は省略したが三重以上の複数の正方形図形により構成してもよい。
【００６６】
（３）上記した実施の形態においては、図３に示す基本図形１００を例示したが、基本図形はこれに限られるものではないことは勿論である。図３に示す基本図形１００においては、間隔Ｇ１と間隔Ｇ２とを同一の間隔として構成したが、例えば、図７（ｂ）に示すように、間隔Ｇ１と間隔Ｇ２とを異なる間隔としてもよい。
【００６７】
（４）上記した実施の形態においては、図３に示す基本図形１００を例示したが、基本図形はこれに限られるものではないことは勿論である。図３に示す基本図形１００においては、補正値増減標識として＋表示１０８、三角矢印１１０、−表示１１２、三角矢印１１４、−表示１１６、三角矢印１１８、＋表示１２０および三角矢印１２２を配置するようにしたが、例えば、図７（ｃ）に示すように、こうした表示を配置しなくてもよい。また、図示は省略したが、補正値増減標識として＋表示１０８、１２０ならびに−表示１１２、１１６は配置するが、三角矢印１１０、１１４、１１８、１２２を配置しなくてもよい。また、図示は省略したが、補正値入力標識として基準線１０６−１、１０６−２、１０６−３、１０６−４を配置しなくてもよい。
【００６８】
（５）上記した各実施の形態ならびに上記した（１）乃至（４）に示す各実施の形態は、適宜に組み合わせるようにしてもよいことは勿論である。
【産業上の利用可能性】
【００６９】
本発明は、メディアに印刷した成果物を切り出して利用する場合などに用いて好適である。
【符号の説明】
【００７０】
１０        印刷装置
１２        筐体
１４        ベッド部
１６        ガイドレール
１８        駆動装置
２０        印刷処理装置（印刷手段）
２２        カッティング処理装置（カッティング手段）
２４        メディア
２４ａ      基本図形印刷領域
２４ｂ      画像印刷領域
２６        マイクロコンピューター
２６ａ      制御部
２６ｂ      記憶部（記憶手段）
２６ｃ      印刷制御部
２６ｄ      カッティング制御部
２６ｅ      カッティングデータ補正部
２８        操作パネル
２８ａ      補正値入力操作子（入力手段）
２８ｂ      表示装置
１００        基本図形
１０２        内部図形
１０２ａ      外郭線
１０４        正方形図形
１０４−１    第１正方形図形
１０４−２    第２正方形図形
【図１】
2020157558.tif 000003
【図２】
2020157558.tif 000004
【図３】
2020157558.tif 000005
【図４】
2020157558.tif 000006
【図５】
2020157558.tif 000007
【図６】
2020157558.tif 000008
【図７】
2020157558.tif 000009